(57)【要約】【課題】液室内に気泡が入ることを抑制する技術を提供する。【解決手段】液体吐出装置は、液体を吐出するためのノズルに連通する液室と、前記液室の容積を変更するための容積変更部と、前記ノズルと前記液室との間に形成され、前記ノズルから見たときの断面積が、前記液室よりも小さい予備室と、を備え、前記ノズルと前記予備室との総容積は、前記ノズルから前記液体を吐出させる際の前記液室の容積変化量よりも大きい。【選択図】図２
2019006057.tif 000002
【特許請求の範囲】
【請求項１】
液体吐出装置であって、
液体を吐出するためのノズルに連通する液室と、
前記液室の容積を変更するための容積変更部と、
前記ノズルと前記液室との間に形成され、前記ノズルから見たときの断面積が、前記液室よりも小さい予備室と、
前記液室に接続され、前記液室に前記液体を流入させる流入路と、
前記液室に接続され、前記液室から前記液体を流出させる流出路と、
前記流入路の流路抵抗を変更するための第１流路抵抗変更部と、
前記流出路の流路抵抗を変更するための第２流路抵抗変更部と、
前記容積変更部と前記第１流路抵抗変更部と前記第２流路抵抗変更部とを制御する制御部と、を備え、
前記ノズルと前記予備室との総容積は、前記ノズルから前記液体を吐出させる際の前記液室の容積変化量よりも大きく、
前記制御部は、前記第１流路抵抗変更部と前記第２流路抵抗変更部との少なくとも一方を制御することにより、前記流入路と前記流出路との少なくとも一方の流路抵抗を大きくした状態において、前記容積変更部を制御して前記液室の容積を小さくすることによって、前記ノズルから前記液体を吐出させる、液体吐出装置。
【請求項２】
請求項１に記載の液体吐出装置であって、
前記ノズルと前記予備室との総容積は、前記容積変更部が前記液室の容積を変更させる最大量よりも大きい、液体吐出装置。
【請求項３】
請求項１または請求項２に記載の液体吐出装置であって、
前記液室と前記流入路とを接続する流入孔は、前記液室の前記予備室側の端部よりも前記予備室側とは反対側に設けられている、液体吐出装置。
【請求項４】
請求項１から請求項３のいずれか１項に記載の液体吐出装置であって、
前記液室と前記流出路とを接続する流出孔は、前記液室の前記予備室側の端部よりも前記予備室側とは反対側に設けられている、液体吐出装置。
【発明の詳細な説明】
【技術分野】
【０００１】
本発明は、液体吐出装置に関する。
【背景技術】
【０００２】
従来、例えば、特許文献１に記載された液滴吐出装置は、液滴を吐出するノズルに連通路を介して繋がる圧力室と、連通路の液体を回収する回収路とを備え、ノズルから侵入した気泡を回収するための貯留部を、回収路の止水域に備える。
【先行技術文献】
【特許文献】
【０００３】
【特許文献１】特開２０１１−７９２５１号公報
【発明の概要】
【発明が解決しようとする課題】
【０００４】
特許文献１に記載の技術では、圧力室に気泡が侵入しないようにするため、回収路に気泡を回収している。しかし、気泡の圧力室への侵入を、より確実に抑制する技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、液体吐出装置が提供される。この液体吐出装置は、液体を吐出するためのノズルに連通する液室と、前記液室の容積を変更するための容積変更部と、前記ノズルと前記液室との間に形成され、前記ノズルから見たときの断面積が、前記液室よりも小さい予備室と、前記液室に接続され、前記液室に前記液体を流入させる流入路と、前記液室に接続され、前記液室から前記液体を流出させる流出路と、前記流入路の流路抵抗を変更するための第１流路抵抗変更部と、前記流出路の流路抵抗を変更するための第２流路抵抗変更部と、前記容積変更部と前記第１流路抵抗変更部と前記第２流路抵抗変更部とを制御する制御部と、を備え、前記ノズルと前記予備室との総容積は、前記ノズルから前記液体を吐出させる際の前記液室の容積変化量よりも大きく、前記制御部は、前記第１流路抵抗変更部と前記第２流路抵抗変更部との少なくとも一方を制御することにより、前記流入路と前記流出路との少なくとも一方の流路抵抗を大きくした状態において、前記容積変更部を制御して前記液室の容積を小さくすることによって、前記ノズルから前記液体を吐出させる。このような形態の液体吐出装置であれば、ノズルから液体を吐出した後にノズルから侵入する気泡は、ノズルと予備室との容積よりも小さくなるため、液室内に気泡が入ることを抑制できる。
【０００７】
（２）上記形態の液体吐出装置において、前記ノズルと前記予備室との総容積は、前記容積変更部が前記液室の容積を変更させる最大量よりも大きくてもよい。このような液体吐出装置であれば、液室内に気泡が入ることをより効果的に抑制できる。
【０００８】
（３）上記形態の液体吐出装置において、前記液室と前記流入路とを接続する流入孔は、前記液室の前記予備室側の端部よりも前記予備室側とは反対側に設けられていてもよい。このような形態の液体吐出装置であれば、ノズルから侵入した気泡が流入孔まで到達することを抑制できるため、流入孔から流入する液体の圧力によって、気泡が液室内に取り込まれることを抑制できる。
【０００９】
（４）上記形態の液体吐出装置において、前記液室と前記流出路とを接続する流出孔は、前記液室の前記予備室側の端部よりも前記予備室側とは反対側に設けられていてもよい。このような形態の液体吐出装置であれば、ノズルから侵入した気泡が流出孔まで到達することにより、流出路内に滞留することを抑制できる。
【００１０】
本発明は、上述した液体吐出装置としての形態以外にも、種々の形態で実現することが可能である。例えば、液体吐出装置によって実行される液体吐出方法や、液体吐出装置を制御するためのコンピュータープログラム、そのコンピュータープログラムが記録された一時的でない有形な記録媒体等の形態で実現することができる。
【図面の簡単な説明】
【００１１】
【図１】液体吐出装置の概略構成を示す説明図である。
【図２】ヘッド部の概略構成を示す説明図である。
【図３】液体吐出方法の処理内容を表すタイミングチャートである。
【図４】本実施形態の吐出制御時におけるヘッド部の状態を示す図である。
【図５】ノズルから気泡が侵入した場合を示す図である。
【図６】予備室を備えない比較例を示す図である。
【図７】第３実施形態のヘッド部の概略構成を示す説明図である。
【発明を実施するための形態】
【００１２】
Ａ．第１実施形態：
図１は、本発明の第１実施形態における液体吐出装置１００の概略構成を示す説明図である。液体吐出装置１００は、タンク１０と、加圧ポンプ２０と、流入路３０と、ヘッド部４０と、流出路５０と、液体貯留部６０と、負圧発生源７０と、制御部８０と、を備える。
【００１３】
タンク１０には液体が収容されている。液体としては、例えば、所定の粘度を有するインクが収容される。タンク１０内の液体は加圧ポンプ２０により、流入路３０を通じてヘッド部４０に供給される。ヘッド部４０に供給された液体は、ヘッド部４０により吐出される。ヘッド部４０の動作は、制御部８０により制御される。
【００１４】
ヘッド部４０によって吐出されなかった液体は、流出路５０を通じて液体貯留部６０に排出される。液体貯留部６０には、各種ポンプによって構成可能な負圧発生源７０が接続されている。負圧発生源７０は、液体貯留部６０内を負圧にすることにより、流出路５０を通じてヘッド部４０から液体を吸引する。加圧ポンプ２０および負圧発生源７０は、流入路３０と流出路５０とに差圧を発生させて流入路３０に液体を供給する液体供給部として機能する。なお、加圧ポンプ２０および負圧発生源７０のいずれか一方を省略して、加圧ポンプ２０または負圧発生源７０のいずれか単体で液体供給部を構成してもよい。上記のように、本実施形態では、ヘッド部４０から吐出されなかった液体がヘッド部４０から流出路５０に排出されるので、ヘッド部４０内に液体内の沈降成分が堆積することを抑制することができる。
【００１５】
本実施形態では、液体貯留部６０とタンク１０とは、循環路９０によって接続されている。液体貯留部６０に貯留された液体は、循環路９０を通じてタンク１０に戻され、再び、加圧ポンプ２０によってヘッド部４０に供給される。循環路９０には、液体貯留部６０から液体を吸引するためのポンプが備えられていてもよい。なお、循環路９０を省略し、液体吐出装置１００を、液体を循環させない構成とすることも可能である。
【００１６】
図２は、ヘッド部４０の概略構成を示す説明図である。図２の下方は重力方向下向きであるものとする。ヘッド部４０は、ノズル４１と、液室４２と、容積変更部４３と、第１流路抵抗変更部４４と、第２流路抵抗変更部４５と、予備室４８とを備える。
【００１７】
液室４２は、液体が供給される部屋である。液室４２は、液体を外部に吐出するためのノズル４１に連通している。液室４２には、流入路３０と流出路５０とが接続されている。
【００１８】
液室４２の天面４９は、振動板や弾性ゴムなどの弾性変形可能な部材によって構成されている。この天面４９の上部には、液室４２の容積を変更するための容積変更部４３が設けられている。容積変更部４３は、天面４９を上下方向に移動させることによって液室４２の容積を変更することができる。本実施形態では、容積変更部４３として、上下方向に伸長可能なピエゾアクチュエーターを用いる。
【００１９】
予備室４８は、ノズル４１と液室４２との間に形成され、ノズル４１から見たときの断面積が、液室４２よりも小さい部屋である。本実施形態では、ノズル４１、液室４２および予備室４８は、それぞれ円柱状の空間であり、例えば、金属材料内に空間を形成することによって構成されている。また、本実施形態では、ノズル４１の先端側から見たとき、予備室４８の外周は液室４２の外周よりも内側に位置し、ノズル４１の外周は予備室４８の外周よりも内側に位置する。
【００２０】
ノズル４１と予備室４８との総容積は、ノズル４１から液体を吐出させる際の液室４２の容積変化量よりも大きい。ここで、「ノズル４１から液体を吐出させる際の液室４２の容積変化量」とは、ノズル４１から液体を吐出させる前における液室４２の容積から、ノズル４１から液体を吐出させた後における液室４２の容積を引いた量である。なお、吐出された液体の体積を排除体積ともいい、ノズル４１から液体を吐出させる際の液室４２の容積変化量と等しい。
【００２１】
流入路３０は、液室４２に接続され、液室４２に液体を流入させる流路である。流入路３０には、流入路３０の流路抵抗を変更するための第１流路抵抗変更部４４が設けられている。第１流路抵抗変更部４４は、例えば、流入路３０内で上下方向に移動可能なピストンと、ピストンを上下方向に駆動する積層型のピエゾアクチュエーターとによって構成することができる。
【００２２】
本実施形態では、液室４２と流入路３０とを接続する流入孔３２は、液室４２の予備室４８側の端部よりも予備室４８側とは反対側に設けられている。換言すると、図２に示すように、流入孔３２の下端は、液室４２の下端よりも上方に設けられている。このようにすることにより、ノズル４１から気泡が侵入した場合においても、侵入した気泡が流入孔３２まで到達することを抑制できる。この結果として、流入孔３２から流入する液体の圧力によって、気泡が液室４２内に取り込まれることを抑制できる。
【００２３】
流出路５０は、液室４２に接続され、液室４２から液体を流出させる流路である。流出路５０には、流出路５０の流路抵抗を変更するための第２流路抵抗変更部４５が設けられている。第２流路抵抗変更部４５は、例えば、流出路５０内で上下方向に移動可能なピストンと、ピストンを上下方向に駆動する積層型のピエゾアクチュエーターとによって構成することができる。
【００２４】
本実施形態では、液室４２と流出路５０とを接続する流出孔５２は、液室４２の予備室４８側の端部よりも予備室４８側とは反対側に設けられている。換言すると、図２に示すように、流出孔５２の下端は、液室４２の下端よりも上方に設けられている。このようにすることにより、ノズル４１から気泡が侵入した場合においても、侵入した気泡が流出孔５２まで到達することにより、流出路５０内に滞留することを抑制できる。
【００２５】
容積変更部４３、第１流路抵抗変更部４４および第２流路抵抗変更部４５は、制御部８０（図１）に接続されている。制御部８０は、容積変更部４３、第１流路抵抗変更部４４および第２流路抵抗変更部４５を制御する。制御部８０は、第１流路抵抗変更部４４と第２流路抵抗変更部４５との少なくとも一方を制御することにより、流入路３０と流出路５０との少なくとも一方の流路抵抗を大きくした状態において、容積変更部４３を制御して液室４２の容積を小さくすることによって、ノズル４１から液体を吐出させる。本実施形態では、制御部８０は、第１流路抵抗変更部４４と第２流路抵抗変更部４５との両方を制御する。このようにすることにより、流入路３０と流出路５０との両方の流路抵抗を大きくした状態において、容積変更部４３を制御して液室４２の容積を小さくすることによって、ノズル４１から液体を吐出させる。制御部８０による詳しい処理内容については後述する。制御部８０は、ＣＰＵやメモリーを備えたコンピューターとして構成されており、メモリーに記憶された制御プログラムを実行することにより、後述する種々の処理を実現する。なお、制御プログラムは、一時的でない有形な種々の記録媒体に記録されていてもよい。
【００２６】
以下の説明において、流入路３０および流出路５０における最大の流路抵抗とは、第１流路抵抗変更部４４または第２流路抵抗変更部４５が調整可能な最大の流路抵抗である。また、最小の流路抵抗とは、第１流路抵抗変更部４４または第２流路抵抗変更部４５が調整可能な最小の流路抵抗である。流入路３０が最大の流路抵抗に設定された場合には、流入路３０は閉塞されることが好ましく、流出路５０が最大の流路抵抗に設定された場合には、流出路５０が閉塞されることが好ましい。また、液室４２の最小の容積とは、容積変更部４３が調整可能な最小の液室４２の容積であり、最大の容積とは、容積変更部４３が調整可能な最大の液室４２の容積である。
【００２７】
図３は、制御部８０によって実行される液体吐出方法の処理内容を表すタイミングチャートである。図３の横軸は経過時間を示し、縦軸は、流入路３０の流路抵抗と、流出路５０の流路抵抗と、液室４２の容積と、を示している。
【００２８】
まず、制御部８０は、図３に示すタイミングｔ０からタイミングｔ１において、第１流路抵抗変更部４４を制御して流入路３０から液室４２に液体を流通させつつ流入路３０の流路抵抗を流出路５０の流路抵抗よりも大きくする待機制御を行うことにより、液室４２内の液体の圧力を、ノズル４１内の液体のメニスカス耐圧以下にする。より具体的には、本実施形態では、制御部８０は、流入路３０の流路抵抗を、最大抵抗よりも小さな中間抵抗にするとともに、流出路５０の流路抵抗を最小とし、更に、液室４２の容積を最小とする。本実施形態において中間抵抗とは、タンク１０から流入する液体の圧力を、ノズル４１内の液体のメニスカス耐圧以下の圧力まで減圧可能な流路抵抗である。この待機制御により、タンク１０から供給された液体は、適切な圧力に調整された後、液室４２を通って、液体貯留部６０に流出する。つまり、待機制御中において、液体は流路内を循環している。なお、メニスカス耐圧とは、液体のメニスカスが破壊されない（つまり、メニスカスが耐え得る）最大の圧力のことをいう。
【００２９】
待機制御を実行した後、制御部８０は、タイミングｔ１からタイミングｔ２にかけて、第２流路抵抗変更部４５を制御して流出路５０の流路抵抗を流入路３０の流路抵抗よりも大きくするとともに、容積変更部４３を制御して液室４２の容積を大きくする充填制御を行う。より具体的には、本実施形態では、制御部８０は、流入路３０の流路抵抗を中間抵抗から最小抵抗まで小さくし、流出路５０の流路抵抗を最小抵抗から最大抵抗まで大きくし、液室４２の容積を最小から最大まで大きくする。この充填制御により、吐出を行うための液体が液室４２、予備室４８およびノズル４１に充填される。
【００３０】
充填制御によって液室４２、予備室４８およびノズル４１に液体が充填された後、制御部８０は、タイミングｔ２からタイミングｔ３までの間に、流出路５０の流路抵抗を大きくしたまま、第１流路抵抗変更部４４を制御して流入路３０の流路抵抗を大きくし、容積変更部４３を制御して液室４２の容積を小さくする吐出制御を行う。より具体的には、本実施形態では、制御部８０は、流出路５０の流路抵抗を最大にしたまま、流入路３０の流路抵抗を最小から最大まで大きくし、流入路３０と流出路５０の流路抵抗が最大の状態で、液室４２の容積を最大から急減させて最小にする。この吐出制御を行うことによって、液室４２に連通したノズル４１から液体が吐出される。なお、この吐出制御では、液室４２の容積を急減させることにより、ノズル４１内の液体の圧力が、メニスカス耐圧を超える圧力となり、液体がノズル４１から吐出される。
【００３１】
ノズル４１から液体が吐出された後、制御部８０は、タイミングｔ３以降、前述した待機制御を行う。より具体的には、本実施形態では、流入路３０の流路抵抗を最大から中間抵抗まで小さくし、流出路５０の流路抵抗を最大から最小まで小さくし、液室４２の容積を最大から最小まで小さくする待機制御を行う。この待機制御により、タンク１０から供給された液体は、再び、液室４２を通って、液体貯留部６０に流出することになる。制御部８０は、以上で説明した処理を繰り返し実行することにより、ノズル４１から連続的に液滴状の液体を吐出することができる。
【００３２】
図４は、本実施形態の吐出制御時におけるヘッド部４０の状態を示す図である。吐出制御時において、制御部８０は、第１流路抵抗変更部４４と第２流路抵抗変更部４５とを制御することにより、流入路３０と流出路５０との流路抵抗を大きくした状態において、容積変更部４３を制御して液室４２の容積を小さくすることによって、ノズル４１から液体を吐出させる。なお、吐出制御時において、流入路３０と流出路５０とのどちらか一方のみの流路抵抗を大きくした状態において、容積変更部４３を制御して液室４２の容積を小さくすることによって、ノズル４１から液体を吐出させてもよい。しかし、液体を吐出するための圧力が流入路３０や流出路５０から逃げてしまうことを抑制する観点から、吐出制御時において、流入路３０と流出路５０との両方の流路抵抗を大きくした状態とすることが好ましい。ここで、流入路３０のみの流路抵抗を大きくした状態においてノズル４１から液体を吐出させる場合、流出路５０の流路抵抗をノズル４１の流路抵抗よりも十分に大きくすることにより、ノズル４１から液体を吐出させることができる。また、流出路５０のみの流路抵抗大きくした状態においてノズル４１から液体を吐出させる場合、流入路３０から流入する液体の圧力を十分に大きくすることにより、ノズル４１から液体を吐出させることができる。
【００３３】
図５は、吐出制御後の待機制御時において、ノズル４１から気泡Ａが侵入した場合を示す図である。図５は、流入路３０と流出路５０との流路抵抗が大きい状態において、容積変更部４３が液室４２の容積を大きくすることによって気泡がノズル４１から侵入した状態を示す。つまり、図５は、最も多くの気泡がノズル４１から侵入した状態を示す。なお、このような場合以外にも、例えば、液体が吐出されることによる慣性力により僅かな気泡がノズル４１から侵入することがある。
【００３４】
本実施形態では、ノズル４１から見たときの断面積は、予備室４８のほうが液室４２よりも小さい。また、ノズル４１と予備室４８との総容積は、ノズル４１から液体を吐出させる際の液室４２の容積変化量よりも大きい。このようにすることにより、ノズル４１から侵入した気泡Ａの体積はノズル４１から液体を吐出させる際の液室４２の容積変化量以下になるため、図５に示すように、気泡Ａが液室４２内に入ることを抑制できる。この結果として、気泡Ａの流出路５０への侵入を抑制できるため、流路内の圧力変動が抑制でき、安定した吐出が可能となる。なお、侵入した気泡Ａは、待機制御によってノズル４１及び予備室４８が液体で満たされることにより、ノズル４１から排出される。一方、予備室４８を備えない場合を以下に示す。
【００３５】
図６は、予備室４８を備えない比較例を示す図である。予備室４８を備えない場合、吐出制御後にノズル４１から侵入した気泡Ａは、液室４２に侵入してしまう虞があり、この結果として、侵入した気泡Ａが流出路５０へ侵入する虞がある。一方、本実施形態では、ヘッド部４０は予備室４８を備えるため、気泡Ａが液室４２内に入ることを抑制できる。
【００３６】
Ｂ．第２実施形態：
第１実施形態では、ノズル４１と液室４２との総容積は、ノズル４１から液体を吐出させる際の液室４２の容積変化量よりも大きい。一方、第２実施形態では、ノズル４１と液室４２との総容積は、容積変更部４３が液室４２の容積を変更させる最大量よりも大きいが、それ以外は第１実施形態と第２実施形態とは同じである。ここで、容積変更部４３が液室４２の容積を変更させる最大量とは、容積変更部４３が調整可能な最大の液室４２の容積から容積変更部４３が調整可能な最小の液室４２の容積を差し引いた量をいう。このようにすることにより、例えば、容積変更部４３が液室４２の容積を変化させる最大量よりも小さい量の変化量で、ノズル４１から液体を吐出させる構成であっても、気泡が液室４２に侵入することを抑制することができる。
【００３７】
Ｃ．第３実施形態：
図７は、第３実施形態のヘッド部４０Ａの概略構成を示す説明図である。第３実施形態は、第１実施形態と比較して、液室４２Ａと予備室４８Ａの形状が異なるがそれ以外は同じである。
【００３８】
第３実施形態において、液室４２Ａ及び予備室４８Ａの側壁は、いずれもテーパ状となっている。つまり、ノズル４１から見たときの液室４２Ａの断面積は、ノズル４１に近づくほど小さくなる。同様に、ノズル４１から見たときの予備室４８Ａの断面積は、ノズル４１に近づくほど小さくなる。このような形態とすることにより、第１実施形態の場合と比較して、液室４２Ａや予備室４８Ａの隅に液体内の沈降成分が堆積することを抑制することができる。
【００３９】
Ｄ．その他の実施形態：
＜他の実施形態１＞
上記実施形態では、容積変更部４３、第１流路抵抗変更部４４および第２流路抵抗変更部４５を、ピエゾアクチュエーターによって構成している。しかし、これらは、ピエゾアクチュエーターに限らず、エアシリンダーやソレノイド、磁歪材料などの他のアクチュエーターによって構成してもよい。
【００４０】
＜他の実施形態２＞
上記実施形態では、ノズル４１、液室４２および予備室４８は、それぞれ円柱状の空間であるが、これに限られず、例えば、それぞれ四角柱状の空間であってもよい。
【００４１】
＜他の実施形態３＞
本発明は、インクを吐出する液体吐出装置に限らず、インク以外の他の液体を吐出する任意の液体吐出装置にも適用することができる。例えば、以下のような各種の液体吐出装置に本発明は適用可能である。
（１）ファクシミリ装置等の画像記録装置。
（２）液晶ディスプレイ等の画像表示装置用のカラーフィルターの製造に用いられる色材吐出装置。
（３）有機ＥＬ（Ｅｌｅｃｔｒｏ  Ｌｕｍｉｎｅｓｃｅｎｃｅ）ディスプレイや、面発光ディスプレイ（Ｆｉｅｌｄ  Ｅｍｉｓｓｉｏｎ  Ｄｉｓｐｌａｙ、ＦＥＤ）等の電極形成に用いられる電極材吐出装置。
（４）バイオチップ製造に用いられる生体有機物を含む液体を吐出する液体吐出装置。
（５）精密ピペットとしての試料吐出装置。
（６）潤滑油の吐出装置。
（７）樹脂液の吐出装置。
（８）時計やカメラ等の精密機械にピンポイントで潤滑油を吐出する液体吐出装置。
（９）光通信素子等に用いられる微小半球レンズ（光学レンズ）などを形成するために紫外線硬化樹脂液等の透明樹脂液を基板上に吐出する液体吐出装置。
（１０）基板などをエッチングするために酸性又はアルカリ性のエッチング液を吐出する液体吐出装置。
（１１）他の任意の微小量の液滴を吐出させる液体吐出ヘッドを備える液体吐出装置。
【００４２】
なお、「液滴」とは、液体吐出装置から吐出される液体の状態をいい、粒状、涙状、糸状に尾を引くものも含むものとする。また、ここでいう「液体」とは、液体吐出装置が消費できるような材料であればよい。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。液体の代表的な例としてはインクや液晶等が挙げられる。ここで、インクとは一般的な水性インクおよび油性インク並びにジェルインク、ホットメルトインク等の各種の液体状組成物を包含するものとする。
【００４３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態や変形例の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４４】
１０…タンク、２０…加圧ポンプ、３０…流入路、３２…流入孔、４０、４０Ａ…ヘッド部、４１…ノズル、４２、４２Ａ…液室、４３…容積変更部、４４…第１流路抵抗変更部、４５…第２流路抵抗変更部、４８、４８Ａ…予備室、４９…天面、５０…流出路、５２…流出孔、６０…液体貯留部、７０…負圧発生源、８０…制御部、９０…循環路、１００…液体吐出装置、Ａ…気泡、ＥＬ…有機、ｔ０…タイミング、ｔ１…タイミング、ｔ２…タイミング、ｔ３…タイミング
【図１】
2019006057.tif 000003
【図２】
2019006057.tif 000004
【図３】
2019006057.tif 000005
【図４】
2019006057.tif 000006
【図５】
2019006057.tif 000007
【図６】
2019006057.tif 000008
【図７】
2019006057.tif 000009